(57)【要約】【課題】嫌気性処理槽内の有機性排水の酸化還元電位の上昇を抑制し、好適に嫌気性処理を行う。【解決手段】嫌気性処理槽１２における嫌気性処理で発生したバイオガスの一部を嫌気性処理槽１２より前段の調整槽９及び酸生成槽１１に返送する構成を備える。これにより、バイオガスに含まれる硫化水素が有機性排水に溶け込んで有機性排水中の硫化物イオンの濃度を高めることにより、有機性排水の酸化還元電位を低く維持することができる。この結果、有機性排水中の有機物濃度が低い場合や、低温での嫌気性処理等、微生物による有機物分解が十分に行われず酸素の消費が十分ではない場合であっても、有機性排水の酸化還元電位の上昇を抑制し、嫌気性処理を好適に行うことができる。【選択図】図１
2014184382.tif 000002
【特許請求の範囲】
【請求項１】
有機性排水を嫌気性処理することでバイオガスを発生させる嫌気性処理槽と、
前記有機性排水を前記嫌気性処理槽の前段で処理する前段処理槽と、
前記嫌気性処理槽で発生した前記バイオガスの少なくとも一部を前記嫌気性処理槽より前段に返送するガス返送手段と、
を備えたことを特徴とする嫌気性処理システム。
【請求項２】
前記ガス返送手段は、前記バイオガスの少なくとも一部を前記前段処理槽へ返送する第１のガス返送路を有することを特徴とする請求項１記載の嫌気性処理システム。
【請求項３】
前記前段処理槽の前段に設けられ、前記有機性排水を還元処理する還元槽を更に備え、
前記ガス返送手段は、前記バイオガスの少なくとも一部を前記還元槽へ返送する第２のガス返送路を有することを特徴とする請求項１又は２記載の嫌気性処理システム。
【請求項４】
前記前段処理槽の前段に設けられ、前記有機性排水を還元処理する還元槽を更に備え、
前記ガス返送手段は、前記前段処理槽内のガスの一部を前記還元槽へ移送するガス移送路を有することを特徴とする請求項２に記載の嫌気性処理システム。
【請求項５】
嫌気性処理槽において有機性排水を嫌気性処理することでバイオガスを発生させる嫌気性処理工程と、
前記有機性排水を前記嫌気性処理槽の前段で処理する前段処理工程と、
前記嫌気性処理槽で発生した前記バイオガスの少なくとも一部を前記嫌気性処理槽よりも前段に返送するガス返送工程と、
を備えたことを特徴とする嫌気性処理方法。
【発明の詳細な説明】
【技術分野】
【０００１】
本発明は、嫌気性処理システム及び嫌気性処理方法に関する。
【背景技術】
【０００２】
有機物を含む有機性排水の処理方法として、多量の曝気動力を要し、余剰汚泥発生量も多い活性汚泥法に代えて、ＵＡＳＢ（Upflow Anaerobic Sludge Blanket：上向流嫌気性汚泥床）法やＥＧＳＢ（Expanded Granular Sludge Bed：膨張粒状汚泥床）法などの高速メタン発酵法が普及してきている。これらのメタン発酵法等の嫌気性処理を用いた排水処理システムとしては、例えば特許文献１記載のものがある。特許文献１記載の排水処理システムのように、メタン発酵槽では、嫌気性のメタン生成菌によって有機酸がメタンガスや炭酸ガスに変換除去され、これにより処理水の水質向上が図られる。
【先行技術文献】
【特許文献】
【０００３】
【特許文献１】特開２０００−２６３０８４号公報
【発明の概要】
【発明が解決しようとする課題】
【０００４】
嫌気性処理におけるメタン発酵は、還元状態で進行する生物反応である。ここで、メタン発酵を行う嫌気性処理槽に酸素を含む排水が流入したり、槽内に空気（酸素）が混入したりすることで酸化還元電位が上昇して酸化状態になると反応が停止するため、酸素が混入しない状態でメタン発酵を行うことが理想である。ただし、実際には、排水や汚泥に含まれる微生物（通性嫌気性菌等）が槽内の有機物を分解する際に酸素を消費するため、酸素の量を厳密に管理しなくても槽内の嫌気状態を維持することができる。
【０００５】
しかしながら、有機物濃度が低い排水を嫌気性処理する場合には、微生物の有機物の分解量が減り、酸素の消費量が減るため、酸化還元電位の上昇する可能性がある。また、排水の温度が５〜２０℃程度の低温状況下にある場合でも、それ以上の温度の場合と比べて排水中の溶存酸素濃度が上昇するため、酸化還元電位が上昇する可能性がある。酸化還元電位が上昇すると、メタン発酵の効率が低下し、水質の悪化やメタン生成量（回収量）の低下が懸念される。
【０００６】
本発明は上記を鑑みてなされたものであり、嫌気性処理槽内の有機性排水の酸化還元電位の上昇を抑制し、好適に嫌気性処理を行うことができる嫌気性処理システム及び嫌気性処理方法の提供を目的とする。
【課題を解決するための手段】
【０００７】
上記目的を達成するため、本発明に係る嫌気性処理システムは、有機性排水を嫌気性処理することでバイオガスを発生させる嫌気性処理槽と、前記有機性排水を前記嫌気性処理槽の前段で処理する前段処理槽と、前記嫌気性処理槽で発生した前記バイオガスの少なくとも一部を前記嫌気性処理槽より前段に返送するガス返送手段と、を備えたことを特徴とする。
【０００８】
また、本発明に係る嫌気性処理方法は、嫌気性処理槽において有機性排水を嫌気性処理することでバイオガスを発生する嫌気性処理工程と、前記有機性排水を前記嫌気性処理槽の前段で処理する前段処理工程と、前記嫌気性処理槽で発生した前記バイオガスの少なくとも一部を前記嫌気性処理槽よりも前段に返送するガス返送工程と、を備えたことを特徴とする。
【０００９】
上記の嫌気性処理システム及び嫌気性処理方法では、嫌気性処理槽で発生したバイオガスの少なくとも一部が嫌気性処理槽より前段に返送される。嫌気性処理槽より前段に返送されるバイオガスには、硫化水素が含まれている。このため、嫌気性処理槽より前段において、バイオガスが有機性排水と接することで、硫化水素が有機性排水に溶け込み、有機性排水の酸化還元電位を低下させる。これにより、嫌気性処理槽において酸化還元電位が上昇することを抑制し、好適に嫌気性処理を行うことができる。
【００１０】
ここで、上記作用を効果的に奏する構成として、具体的には、前記ガス返送手段は、前記バイオガスの少なくとも一部を前記前段処理槽へ返送する第１のガス返送路を有する態様が挙げられる。
【００１１】
また、上記作用を効果的に奏する他の構成として、具体的には、前記前段処理槽の前段に設けられ、前記有機性排水を還元処理する還元槽を更に備え、前記ガス返送手段は、前記バイオガスの少なくとも一部を前記還元槽へ返送する返送路を第２のガス返送路を有する態様が挙げられる。
【００１２】
また、前記前段処理槽の前段に設けられ、前記有機性排水を還元処理する還元槽を更に備え、前記ガス返送手段は、前記前段処理槽内のガスの一部を前記還元槽へ返送するガス移送路を有する態様とすることもできる。
【００１３】
このように嫌気性処理槽からのバイオガスを前段処理槽に返送し、さらにその前段処理槽におけるガスを還元槽へ移送する移送ラインを備える構成とすることで、還元槽に直接バイオガスを返送するガス返送ラインを備えずとも、還元槽においてもバイオガスと有機性排水とが接触可能となり、有機性排水に硫化水素が溶け込むことが可能となり、嫌気性処理槽内の有機性排水の酸化還元電位の上昇を抑制することができる。
【発明の効果】
【００１４】
本発明によれば、嫌気性処理槽内の有機性排水の酸化還元電位の上昇を抑制し、好適に嫌気性処理を行うことができる嫌気性処理システム及び嫌気性処理方法が提供される。
【図面の簡単な説明】
【００１５】
【図１】本実施形態に係る嫌気性処理システムの構成を説明する図である。
【発明を実施するための形態】
【００１６】
以下、添付図面を参照して、本発明を実施するための形態を詳細に説明する。なお、図面の説明においては同一要素には同一符号を付し、重複する説明を省略する。
【００１７】
図１は、本発明の実施形態に係る嫌気性処理システムの構成を示す概略図である。嫌気性処理システム１は、原水流入管Ｌ１を通ってきた有機性排水を受け入れる調整槽９と、その後段の酸生成槽１１と、更にその後段の嫌気性処理槽１２と、を備える。
【００１８】
調整槽（還元槽）９は、後段に送出する有機性排水の流量調整処理を行う槽である。また、調整槽９は、還元処理を行う還元槽としての機能を有している。調整槽９では、有機性排水の酸化還元電位を低下させる。有機性排水の酸化還元電位を低下させる方法としては、硫化ナトリウム等の還元剤や硫酸塩等を調整槽９内の有機性排水と混合させる方法が挙げられる。調整槽９からは、送水管Ｌ２を通じて酸生成槽１１に所定の流量で有機性排水が送られる。
【００１９】
酸生成槽（前段処理槽）１１は、酸生成菌により有機性排水に含まれる有機物を酢酸等に分解する。また、酸生成槽１１において、中和剤としてアルカリ剤（例えば、水酸化ナトリウム）を添加することも好ましい。酸生成槽１１には、送水管Ｌ３が接続されており、酸生成槽１１内の有機性排水が上向流式の嫌気性処理槽１２に流入するようになっている。
【００２０】
嫌気性処理槽１２は、直方体状や円柱状の容器等からなり、ＥＧＳＢ（Expanded  Granular  Sludge  Bed）反応槽などと呼ばれるタイプの水処理槽である。嫌気性処理槽１２の下部には、流入部１３が設けられている。流入部１３は、送水管Ｌ３に連絡しており有機性排水Ｗを嫌気性処理槽１２内に流入させる。流入部１３は、例えば、長手方向に均一に穴部が設けられた送水管である。嫌気性処理槽１２内には、嫌気性汚泥が粒状化してなるグラニュール汚泥が収納されている。有機性排水Ｗは、グラニュール汚泥に接触することにより、グラニュール汚泥中の嫌気性菌によって嫌気性処理される。このようなグラニュール汚泥が、有機性排水中で下部に沈降して溜まることにより、嫌気性処理槽１２の下部にはグラニュール汚泥層１４が形成されている。
【００２１】
嫌気性処理槽１２では、その下部に設けられた流入部１３から有機性排水Ｗを内部に導入することによって上向きの流動を生じさせ、嫌気性微生物が凝集しているグラニュール汚泥層１４に有機性排水Ｗを通して、有機性排水Ｗを嫌気性処理する。グラニュール汚泥層１４の上部には、当該グラニュール汚泥層１４を通過し嫌気性処理を経た有機性排水Ｗの液層が形成されている。この液層の有機性排水Ｗには、グラニュール汚泥層１４から浮上した浮上グラニュール汚泥や、嫌気性処理によって発生したバイオガス（例えば、メタンガス）が含まれている。なお、浮上グラニュール汚泥は、グラニュール汚泥が浮いたものであり、例えば、グラニュール汚泥にガスが付着したり、ガスが内包されたりなどしたものである。バイオガスの主な構成成分はメタンと二酸化炭素であり、硫化水素、窒素、水素等の他の成分も少量含まれる。
【００２２】
また、嫌気性処理槽１２の上部には、有機性排水Ｗと浮上グラニュール汚泥とバイオガスとを分離するための三相分離部１８が、配置されている。
【００２３】
三相分離部１８の下端部には、有機性排水Ｗを三相分離部１８の内部に導入する導入口１８ａが形成されている。この導入口１８ａに有機性排水Ｗを導くために、三相分離部１８の下方であって導入口１８ａの周囲には、三相分離部１８の底部に沿って設置された導入板１９が設けられている。また、導入板１９には、導入口１８ａに導入されなかった有機性排水Ｗを下側に返送するための返送口１９ａが形成されている。また、導入板１９の更に下方には、導入板１９の返送口１９ａを通って返送される有機性排水Ｗの流れを整えるための整流板２０が設けられている。
【００２４】
有機性排水Ｗは、上記グラニュール汚泥層１４を通過し上向きに流動し、導入板１９によって導入板１９と三相分離部１８との間に形成された導入路に外側から流入する。上記導入路を通った有機性排水Ｗの一部は、導入口１８ａから三相分離部１８内に流入し、他の部分は、導入板１９の返送口１９ａから下側に流れるようになっている。
【００２５】
三相分離部１８内に流入した有機性排水Ｗは、三相分離部１８の側壁１８ｂから外側に溢れ、処理水として処理水排出部２３に集められる。側壁１８ｂの上端の高さに、有機性排水Ｗの液面Ｈが形成される。処理水排出部２３の処理水の一部は、処理水返送路Ｌ４を通じて酸生成槽１１に返送され、処理水排出部２３の処理水の残部は、排水管Ｌ５を通じて系外に排出される。三相分離部１８において、三相分離部１８の側壁１８ｂの内側には、導入口１８ａから流入した有機性排水Ｗが直接処理水排出部２３に流入しないようにするための隔壁２４が設けられている。
【００２６】
また、嫌気性処理槽１２内で、液面Ｈよりも上方の閉鎖空間３１には、前述のバイオガスが一時的に貯留される。液面Ｈ下の嫌気性処理空間３３には、有機性排水Ｗが貯留される。
【００２７】
嫌気性処理槽１２では、嫌気性処理空間３３で有機性排水Ｗの嫌気性処理が行われ、バイオガスが発生する。当該バイオガスが浮上し液面Ｈまで到達することで、ガス貯留空間３１にバイオガスが一時的に貯留される。ガス貯留空間３１のバイオガスは、ガス回収ラインＬ６を通じて外部に排出され有用なエネルギー源として回収される。
【００２８】
さらにガス回収ラインＬ６から分岐してバイオガスを前段に返送するための返送ラインＬ７（ガス返送手段）が設けられている。ガス返送ラインＬ７は、更にバイオガスの一部を前段処理槽９に返送するガス返送ラインＬ８（ガス返送手段：第２のガス返送路）とバイオガスの一部を酸生成槽１１へ返送するガス返送ラインＬ９（ガス返送手段：第１のガス返送路）とに分岐する。なお、ガス返送ラインＬ８，Ｌ９の前段処理槽９，酸生成槽１１側の端部は、各槽に貯留される有機性排水の内部とし、有機性排水中に返送されるバイオガスを吹き込む構成であることが好ましい。このような構成を有することにより、ガス返送ラインＬ８，Ｌ９により返送されるバイオガスが各槽内の有機性排水と好適に混合される。
【００２９】
また、ガス返送ラインＬ８，Ｌ９には、それぞれ、ラインを開閉可能とするバルブＶ８，Ｖ９が設けられている。
【００３０】
続いて、上記嫌気性処理システム１による嫌気性処理方法について説明する。
【００３１】
（還元処理工程／前段処理工程）
調整槽９に有機性排水が導入されると、調整槽９では、還元剤等を添加することで還元処理が行われる。これにより調整槽９内の有機性排水の酸化還元電位が低下される。還元処理後の有機性排水は、流量を調整されながら、調整槽９から酸生成槽１１へ送られる。
【００３２】
（酸生成槽処理工程）
調整槽９で調整された流量で、酸生成槽１１に対し有機性排水が導入されると、酸生成槽１１では、酸生成菌により有機性排水に含まれる有機物が酢酸等に分解される。これにより酢酸等の有機酸を多く含む有機性排水が、酸生成槽１１から嫌気性処理槽１２に送られる。
【００３３】
（嫌気性処理工程）
嫌気性処理槽１２の流入部１３から導入された有機性排水Ｗは、嫌気性処理空間３３内を上向きに流動する。このとき、有機性排水Ｗは、グラニュール汚泥層１４を通過しながらグラニュール汚泥に接触し、嫌気性処理される。
【００３４】
（処理水排出工程）
その後、液面Ｈまで到達した有機性排水Ｗは、側壁１８ｂの上端を越えて処理水排出部２３に溢れ、処理水として排水管Ｌ５を通じて系外に排出される。なお、排出された処理水には、後段で更なる所定の水処理が施される。
【００３５】
（ガス回収工程）
上記嫌気性処理工程では、嫌気性反応によるバイオガス（メタンガス、二酸化炭素等）が発生し、液面Ｈまで浮上することでガス貯留空間３１に一時的に貯留され、バイオガスの量が増加すると、ガス貯留空間３１のバイオガスが、ガス貯留空間３１の圧力によってガス回収ラインＬ６を流動し排出される。
【００３６】
（ガス返送工程）
ガス回収ラインＬ６から分岐されたガス返送ラインＬ７、さらにガス返送ラインＬ７から分岐されたガス返送ラインＬ８を通って、バイオガスが調整槽９に送られる。また、ガス返送ラインＬ７から分岐されたガス返送ラインＬ９を通って、バイオガスが酸生成槽１１に送られる。ガス返送ラインＬ８，Ｌ９へのバイオガスの返送量の調節は、バルブＶ８，Ｖ９によって行われる。
【００３７】
続いて、以上説明した嫌気性処理システム１及び嫌気性処理方法による作用効果について説明する。
【００３８】
嫌気性処理槽１２における嫌気性処理は、還元状態において進行するメタン生成菌等の嫌気性菌（偏性嫌気性菌）による生物反応である。したがって、酸化還元電位が−２００ｍＶ以上の酸化状態になると、生物反応が停止する。嫌気性菌による嫌気性処理を好適に行うためには、有機性排水に酸素が混入していない状態で嫌気性処理を行うことが好ましい。しかし、実際には、有機性排水に多少酸素が混入していても、グラニュール汚泥層１４の汚泥に存在する微生物（通性嫌気性菌）が有機物の分解時に酸素を消費することから、若干量の酸素が有機性排水に混入していてもメタン発酵は進行し、嫌気性処理が好適に行われる。
【００３９】
ただし、嫌気性処理槽に一定量以上の酸素が供給された場合、酸素を消費しきることができず、酸化還元電位は上昇し、その結果嫌気性処理が好適に行われないことが考えられる。酸化還元電位が上昇する例として、有機性排水に含まれる有機物の濃度が低く、酸素を消費するための微生物の活動が十分に行われない場合が挙げられる。微生物による有機物分解の活動量が少ない場合には、その活動量の減少に応じて消費される酸素が減少する。また、５〜２０℃の低温域において嫌気性処理をする場合には、中温域（３０〜４０℃）や高温域（５０〜６０℃）の場合と比べて、有機性排水中の溶存酸素濃度が高くなり、微生物による酸素の分解を十分に行うことができない場合が考えられる。このように、有機性排水中の酸素の除去が十分に行われず、酸化還元電位が上昇し、−２００ｍＶを上回ると、嫌気性処理が十分に行われなくなり、処理水の水質が悪化する可能性がある。
【００４０】
これに対して、本実施形態に係る嫌気性処理システム１では、嫌気性処理槽１２における嫌気性処理で発生したバイオガスの一部を嫌気性処理槽１２より前段の調整槽９及び酸生成槽１１に返送する構成を備える。
【００４１】
これにより、バイオガスに含まれる硫化水素が有機性排水に溶け込む。硫化水素は還元性の高いガスであり、これが有機性排水に溶け込んで有機性排水中の硫化物イオンの濃度を高めることにより、有機性排水の酸化還元電位を低く維持することができる。したがって、有機性排水中の有機物濃度が低い場合や、低温での嫌気性処理等、微生物による有機物分解が十分に行われず酸素の消費が十分ではない場合であっても、有機性排水の酸化還元電位の上昇を抑制し、嫌気性処理を好適に行うことができる。
【００４２】
また、嫌気性処理槽１２のグラニュール汚泥層１４の汚泥には、硫酸還元反応を行う微生物も含まれていて、嫌気性処理によって有機性排水中の硫酸塩類は、硫黄イオン等の還元性硫黄に変化し、これにより有機性排水の酸化還元電位低く保たれる。しかしながら、有機性排水中の有機物濃度が低い場合や、低温での嫌気性処理等、有機物分解が十分に行われず酸素の消費が十分ではない環境は、硫酸還元反応を行う微生物にとっても活発に活動できない環境である。したがって、嫌気性処理槽１２よりも前段において、バイオガスに含まれる硫化水素が有機性排水に溶け込む構成とすることで、有機性排水中の硫化水素の欠乏を防止し、排水の酸化還元電位を低く維持することができる。
【００４３】
なお、バイオガスは、図１に示す嫌気性処理システム１のように、調整槽９と酸生成槽１１との双方に返送する構成としてもよいし、いずれか一方にのみ返送する構成としてもよい。
【００４４】
また、調整槽９と酸生成槽１１とを比較した場合、酸生成槽１１では酸生成菌により有機性排水に含まれる有機物を酢酸等に分解する工程が行われるため、有機性排水のｐＨが調整槽９と比較して低くなる。このようにｐＨが低くなると、バイオガス中の硫化水素が有機性排水に溶け込みにくくなるため、有機性排水のｐＨがより高い調整槽９にバイオガスを返送する構成とすることで、バイオガスの硫化水素が有機性排水に溶け込みやすくなると考えられる。
【００４５】
また、酸生成槽１１において硫化水素の溶解が不十分である場合には、例えば、ガス返送ラインＬ９に加えて、酸生成槽１１の上部のガスを回収して調整槽９に送るガス移送路であるガス移送ラインＬ１０（図１では破線で示す）をさらに設ける構成としてもよい。なお、ガス移送ラインＬ１０を有する構成とする場合は、酸生成槽１１へのガス返送ラインＬ９が設けられることが前提である。嫌気性処理槽１２からのバイオガスを酸生成槽１１に返送し、さらにその酸生成槽１１におけるガスを調整槽９へ移送する構成とすることで、調整槽９に直接バイオガスを返送するガス返送ラインＬ８を備えずとも、調整槽９においてもバイオガスと有機性排水とが接触可能となり、有機性排水に硫化水素が溶け込むことが可能となる。
【００４６】
また、送水管Ｌ２又は送水管Ｌ３にガス返送ラインを接続し、送水管内を流れる有機性排水とバイオガスを混合させる構成としてもよい。すなわち、嫌気性処理槽１２よりも前段において、嫌気性処理槽１２から返送されるバイオガスと有機性排水とを混合させることによって、硫化水素が有機性排水に溶け込むことで酸化還元電位が低下する。この構成を有することで、嫌気性処理槽１２における有機性排水の酸化還元電位の上昇を抑制することができ、嫌気性処理を好適に行うことができる。
【００４７】
また、有機性排水の酸化還元電位に応じて、例えば、バルブＶ８，Ｖ９の開閉等によって、返送するバイオガスの返送量を調整する構成としてもよい。
【００４８】
以上、本発明の好適な実施形態について説明してきたが、本発明は必ずしも上述した実施形態に限定されるものではなく、その要旨を変更しない範囲で様々な変更が可能である。例えば、嫌気性処理槽１２は、ＥＧＳＢ反応槽に限られず、例えばＵＡＳＢ（Upflow Anaerobic Sludge Blanket）反応槽であってもよい。
【００４９】
また、上記実施形態では、調整槽９において還元剤を有機性排水中に添加する構成について説明したが、還元剤の添加等の還元処理を調整槽９で行わず、流量の調整のみを行う構成としてもよい。
【符号の説明】
【００５０】
１…嫌気性処理システム、９…調整槽（還元槽）、１１…酸生成槽（前段処理槽）、１２…嫌気性処理槽、Ｌ６…ガス回収ライン、Ｌ７，Ｌ８，Ｌ９…ガス返送ライン、Ｗ…有機性廃水。
【図１】
2014184382.tif 000003